(57)【要約】【課題】  印刷媒体の印字テープ側の上面に示温材料を塗布することにより、示温材料の色と印刷文字の色を自由に組み合わせることができ、且つ、その組合せた印刷媒体を間違いなく印刷することができる印刷媒体とテープ作成装置を提供する。【解決手段】  テープ作成装置１では、ラベル用テープ４２は、印字用テープ２０及び両面テープ２４とからなり、印字用テープ２０の表面には、周囲温度に応じて変色する示温材料８０が塗布されていることにより、示温材料８０の色が、印字用テープ２０の裏面に印字されている文字や記号等のキャラクタ８２と両面テープ２４の色を隠蔽するので文字や記号等のキャラクタ８２の色と両面テープ２４の色を自由に選択して組み合わせることができる。【選択図】  図４
2006162932.tif 000002
【特許請求の範囲】
【請求項１】
インクを付着させて文字や記号を印刷する印刷媒体であって、
前記印刷媒体は、印字用テープ及び両面テープからなり、前記印字用テープの表面には、周囲温度に応じて変色する示温材料が塗布されていることを特徴とする印刷媒体。
【請求項２】
前記両面テープには、周囲温度に応じて変色する示温材料を含む層を備えていることを特徴とする請求項１に記載の印刷媒体。
【請求項３】
前記示温材料は、周囲温度に応じて有色から無色に変色することを特徴とする請求項１又は請求項２に記載の印刷媒体。
【請求項４】
前記示温材料は、周囲温度に応じて無色から有色に変色することを特徴とする請求項１又は請求項２に記載の印刷媒体。
【請求項５】
前記印字用テープの表面に塗布された前記示温材料の変色する温度と、前記両面テープの層に含まれた前記示温材料の変色する温度が異なるようにしたことを特徴とする請求項２に記載の印刷媒体。
【請求項６】
印字用テープ及び両面テープからなり、前記印字用テープの表面には、周囲温度に応じて変色する示温材料が塗布されている印刷媒体を用いるものであって、
前記示温材料の種類を判別する判別手段と、前記判別手段によって判別された示温材料の内容を表示する表示手段とを備えたことを特徴とするテープ作成装置。
【発明の詳細な説明】
【技術分野】
【０００１】
本発明は、テープ作成装置に関し、特に温度により色が変わる示温テープを作成するテープ作成装置に関するものである。
【背景技術】
【０００２】
従来、周囲の温度に応じて変色するテープを貼り付けることにより、該テープを張りつけた物の周囲の温度変化、または、張りつけた物自身の温度変化を視覚的に判断することが行なわれている。例えば、ビールの冷え具合いを見るために、容器に周囲の温度に応じて変色するテープを貼り付けた缶ビール等が市販されている。
しかしながら、文字や記号等のキャラクタが印刷された周囲の温度に応じて変色するテープが必要な場合、専門業者に依頼して作ってもらう必要があり、上記テープを入手するのに時間とコストがかかるという欠点があった
【０００３】
そこで、本出願人は、実用新案登録第２５５９４７３号公報に記載のように、テープ状の印刷媒体の両面テープ側に示温材料を含む層を設け、印刷媒体の印字テープ側に文字や記号等のキャラクタを印刷して周囲の温度に応じて変色するテープを作成するテープ作成装置を提案した。
【０００４】
【特許文献１】実用新案登録第２５５９４７３号公報（段落０００６、図１、図４、図５）
【発明の開示】
【発明が解決しようとする課題】
【０００５】
しかしながら、上述した公報のテープ作成装置においては、文字や記号等のキャラクタが印刷された周囲の温度に応じて変色するテープを専門業者に作ってもらうための時間とコストが掛かるという欠点は解消されたが、テープ状の印刷媒体の両面テープ側に示温材料を含む層を設け、印刷媒体の印字テープ側に文字や記号等のキャラクタを印刷するようにしたので、示温材料の色とキャラクタを同化させるためには同色にする必要があり、そのために示温材料の色とキャラクタの色に制限があるという問題がある。また、ある温度以上又はある温度以下の判別にしか使用できないという問題もある。更に、テープを作成する前にテープの外観だけではどのように変化するか分からないという問題もある。
【０００６】
以上のような状況に鑑み、本発明の目的は、上述した問題点を解決するためになされたものであり、印刷媒体の印字テープ側の上面に示温材料を塗布することにより、示温材料の色と印刷文字の色を自由に組み合わせることができる印刷媒体と、その組合せた印刷媒体を間違いなく印刷することができるテープ作成装置を提供することを目的とする。
【課題を解決するための手段】
【０００７】
前記目的を達成するために請求項１に係る印刷媒体は、インクを付着させて文字や記号を印刷する印刷媒体であって、前記印刷媒体は、印字用テープ及び両面テープからなり、前記印字用テープの表面には、周囲温度に応じて変色する示温材料が塗布されていることを特徴とする。
【０００８】
また、請求項２に係る印刷媒体は、請求項１に記載の印刷媒体において、両面テープには、周囲温度に応じて変色する示温材料を含む層を備えていることを特徴とする。
【０００９】
また、請求項３に係る印刷媒体は、請求項１又は請求項２に記載の印刷媒体において、前記示温材料は、周囲温度に応じて有色から無色に変色することを特徴とする。
【００１０】
また、請求項４に係る印刷媒体は、請求項１又は請求項２に記載の印刷媒体において、前記示温材料は、周囲温度に応じて無色から有色に変色することを特徴とする。
【００１１】
また、請求項５に係る印刷媒体は、請求項２に記載の印刷媒体において、前記印字用テープの表面に塗布された前記示温材料の変色する温度と、前記両面テープの層に含まれた前記示温材料の変色する温度が異なるようにしたことを特徴とする。
【００１２】
また、請求項６に係るテープ作成装置は、印字用テープ及び両面テープからなり、前記印字用テープの表面には、周囲温度に応じて変色する示温材料が塗布されている印刷媒体を用いるものであって、前記示温材料の種類を判別する判別手段と、前記判別手段によって判別された示温材料の内容を表示する表示手段とを備えたことを特徴とする。
【発明の効果】
【００１３】
請求項１に係る印刷媒体では、印刷媒体は、印字用テープ及び両面テープからなり、印字用テープの表面には、周囲温度に応じて変色する示温材料が塗布されていることにより、示温材料の色が、印字用テープの裏面に印字されている文字や記号等のキャラクタと両面テープの色を隠蔽するので文字や記号等のキャラクタの色と両面テープの色を自由に選択して組み合わせることができるという効果がある。また、示温材料の色も文字や記号等のキャラクタの色に関係なく自由に選択することができるという効果もある。
【００１４】
また、請求項２に係る印刷媒体では、両面テープには、周囲温度に応じて変色する示温材料を含む層を備えているので、印字用テープの表面の示温材料は、印字用テープの裏面に印字された文字や記号等のキャラクタの出現や隠蔽の機能をし、両面テープの示温材料は、示温材料の色やそのバックの色により印字用テープの裏面に印字された文字や記号等のキャラクタの出現や同化の機能をする。更に、印字用テープの表面の示温材料は、示温材料の色を選ぶ事により印刷媒体の装飾となり、同様に両面テープの示温材料は、示温材料の色や変色の色そして示温材料のバックの色により印字用テープの裏面に印字された文字や記号等のキャラクタを引き立たせる装飾の機能をする。このような機能を組み合わせることにより目的に合わせた多彩なテープを作成できるという効果がある。
【００１５】
また、請求項３に係る印刷媒体では、示温材料は、周囲温度に応じて有色から無色に変色するので、有色から無色に変色した時は、変色する温度になったことを示し、その変色の状態におけるメッセージを印字用テープの裏面に印字された文字や記号等のキャラクタ（注意や状況等）で発現することができるという効果がある。
【００１６】
また、請求項４に係る印刷媒体では、示温材料は、周囲温度に応じて無色から有色に変色するので、無色から有色に変色した時は、変色する温度になったことを示し、今まで印字用テープの裏面に印字された文字や記号等のキャラクタで発現されていた状況でないということで隠蔽できるという効果がある。
【００１７】
また、請求項５に係る印刷媒体では、印字用テープの表面に塗布された示温材料の変色する温度と、両面テープの層に含まれた示温材料の変色する温度が異なるようにしたので、ある温度からある温度までの範囲を判別可能なラベル用テープを作成できるという効果がある。また、周囲温度を３分割で示すことができるという効果もある。
【００１８】
また、請求項６に係るテープ作成装置では、示温材料の種類を判別する判別手段と、判別手段によって判別された示温材料の内容を表示する表示手段とを備えたので、この表示によって操作者は、これから作成される外見では分からないラベル用テープの素性が分かり、テープ作成の失敗がなくなるという効果がある。
【発明を実施するための最良の形態】
【００１９】
以下、本発明に係るテープ作成装置について、本発明を具体化した第１実施形態に基づき図面を参照しつつ詳細に説明する。先ず、本実施形態に係るテープ作成装置の概略構成について図１乃至図５に基づき説明する。図１は、第１実施形態で本発明が適用されたテープ作成装置の外観を示す斜視図、図２は、第１実施形態で本発明が適用されたテープカセットをテープ作成装置に取り付けた状態を示す図、図３は、第１実施形態に係るテープ作成装置の制御構成を示すブロック図、図４は、第１実施形態で本発明が適用されたラベル用テープの構成を示す側面図、図５は、第１実施形態で本発明が適用された液晶ディスプレイに表示された示温テープの種類を表す表示例を示す図である。
【００２０】
本第１実施形態のテープ作成装置１は、図１に示すように、本体２の上面には、キーボード４が設けられている。このキーボード４の上方に、電源スイッチ６、印字キー８や、テープ作成装置１の各種制御を行う機能キー群１０と、入力した文字や記号等を表示するための液晶ディスプレイ（表示手段に相当。以下、ＬＣＤと称す。）１２が設けられている。
【００２１】
本体２の裏面は、本体２に着脱可能なテープカセット１６が装着できるようにされている。図２は、このテープカセット１６を本体２に装着した状態でその内部構造を示した図である。
【００２２】
このテープカセット１６には、印字用テープスプール１８及び両面テープスプール２２が回転可能に配置されており、印字用テープスプール１８には印字用テープ２０が巻かれ、両面テープスプール２２には片面にのみ両面剥離紙７９が貼着された両面テープ２４がその両面剥離紙７９を外側にして巻かれている。
【００２３】
尚、印字用テープ２０は、図４に示すように透明ポリエステルフィルム２５の上面に示温材料８０が塗布された構成になっている。そして、示温材料８０は、ある温度で無色から有色に、或いは、有色から無色に変化する。
【００２４】
また、両面テープ２４は、図４に詳細に示すように５層構造になっている。即ち、上面から透明粘着材層７１、ポリエステルフィルム７３、印刷層７５、粘着材層７７、両面剥離紙７９から構成されている。上記印字用テープ２０及び両面テープ２４により、本発明の印刷媒体が構成される。
【００２５】
ベースフィルムに熱溶融性のインクを塗布して成るインクリボン２７は、後述するサーマルヘッド４８による記録前はリボン供給スプール２８にインク面を内側にして巻かれており、印刷後はリボン巻取スプール３０に巻き取られるようにされている。
【００２６】
前記印字用テープ２０は、印字用テープスプール１８からガイド軸３２を介してローラ進入口３４へ至り、テープ送りローラ３６から、テープ押え３８の下のスリットを貫通して外部に至るようにされている。
【００２７】
一方、インクリボン２７は、リボン供給スプール２８から印字用テープ２０とガイド軸３２との間を通り、印字用テープ２０と重なりながらローラ進入口３４へ至り、剥離プレート４０を介してその進行方向が約１８０度回転し、リボン巻取スプール３０に至るようにされている。この剥離プレート４０は、後述するサーマルヘッド４８からインクリボン２７の進行方向の下流側に所定量離れた位置に固定されており、印字用テープ２０からインクリボン２７を剥離させるためのものである。
【００２８】
前記両面テープ２４は両面テープスプール２２からテープ送りローラ３６に至り、印字用テープ２０と接着してラベル用テープ４２となり外部に至るようにされている。これら印字用テープ２０、両面テープ２４、インクリボン２７は同じ長さだけ各スプール１８，２２，２８に巻回されている。
【００２９】
ローラ進入口３４近傍のインクリボン２７と両面テープ２４との間には、分離壁体４４が設けられている。分離壁体４４は、屈曲し易いインクリボン２７が両面テープ２４の粘着面に付着して両面テープ２４と共に外部に引き出されてしまうのを防止するためのものである。
【００３０】
また、ローラ進入口３４の内奥にはインクリボン２７及び周壁部４６に包囲されるようにしてサーマルヘッド４８の挿入穴４７が開口しており、本体２に取り付けられたサーマルヘッド４８が挿入穴４７に進入できようにされている。後述のサーマルヘッド４８は、その先端にインクリボン２７の送り方向と直行して一列に並べられた発熱素子４９を備えている。このサーマルヘッド４８により本発明の印刷手段が構成される。
【００３１】
本体２には、テープカセット１６を装着させた際にテープ送りローラ３６と嵌合するテープ送り駆動軸５０と、リボン巻取スプール３０と嵌合するリボン巻取スプール駆動軸５２とが設けられており、テープ搬送パルスモータ９５（図３参照）により駆動可能とされている。
【００３２】
また、本体２に固定された揺動軸５４に揺動自在に支承されたローラホルダ５６には、可動プラテンローラ５８及び駆動ローラ６０が回動自在に保持されている。そして、ローラホルダ５６を揺動軸５４周りに揺動させる図示しないローラリリースレバー６２により、可動プラテンローラ５８及び駆動ローラ６０をローラ進入口３４から進入させた際、ローラ進入口３４部分に露出している印字用テープ２０とインクリボン２７とを重ね合わせてサーマルヘッド４８の発熱素子との間で挟持可能とされている。一方、その下流では、駆動ローラ６０がテープ送りローラ３６との間で、印字用テープ２０を両面テープ２４に重合し接着させるようにされている。
【００３３】
駆動ローラ６０の下流には、切断レバー６４と切断レバー６４の揺動に連動して回転する回転カッタ６６とが、本体２に設けられている。
【００３４】
ここで、上記のように構成されるテープ作成装置１の制御系について図３を参照して説明する。図３に示すように、テープ作成装置１は制御部８５を核として構成されている。この制御部８５はＣＰＵ８６、ＲＯＭ８７、ＣＧＲＯＭ８８、ＲＡＭ８９、及び、入出力インターフェイス９０から構成され、これらはバス線９１を介して相互に接続されている。
【００３５】
ここに、ＲＯＭ８７は各種のプログラムを記憶させておくものであり、印字制御プログラム等のテープ作成装置１の制御上必要な各種のプログラムが記憶されている。そして、ＣＰＵ８６はかかるＲＯＭ８７に記憶されている各種のプログラムに基づいて各種の演算を行なうものである。また、ＲＯＭ８７には、多数の文字等のキャラクタのそれぞれについて、各キャラクタの輪郭線を規定する輪郭線データ（アウトラインデータ）が各書体（ゴシック系書体、明朝体系書体等）毎に分類されてコードデータに対応して記憶されている。
【００３６】
また、ＣＧＲＯＭ８８にはキーボード４から入力される各キャラクタに対応するドットパターンデータが記憶されており、ドットパターンデータがＣＧＲＯＭ８８から読み出され、そのドットパターンデータに基づいてＬＣＤ１２上にドットパターンが表示される。また、ＲＡＭ８９はＣＰＵ８６により演算された各種の演算結果を一時的に記憶させておくためのものであり、かかるＲＡＭ８９には、本体２に装着された各テープカセット１６の種類を、テープ判別センサ（判別手段に相当）１４で読み込まれたデータを判別する際に、その基となる図示しないテープ判別データテーブルが記憶されるテープ判別データ記憶エリア８９Ａが設けられている。更に、ＲＡＭ８９には、テキストメモリ、イメージバッファ、印字バッファ等の各種のメモリが設けられている。
【００３７】
また、入出力インターフェイス９０には、本体２に設けられるテープ判別センサ１４、キーボード４、電源スイッチ６、印字キー８、そして、機能キー群１０が接続されている。また、ＬＣＤ１２を駆動制御するディスプレイコントローラ（ＬＣＤＣ）９２が接続されており、キーボード４を介して文字等が入力された場合、その文書データがテキストメモリに順次記憶されていくとともに、ドットパターン発生制御プログラム及び表示制御プログラムに基づいてキーボード４を介して入力された文字等に対応するドットパターンがＬＣＤ１２上に表示される。また、サーマルヘッド４８を駆動制御する駆動回路９３が接続され、可動プラテンローラ５８と協動してイメージバッファから印字バッファに転送されたドットパターンデータがインクリボン２７を介して各印字用テープ２０に印字される。また、テープ搬送パルスモータ９５を駆動制御する駆動回路９４が接続され、駆動ローラ６０と協動して印字された印字用テープ２０と両面粘着テープ２４とを貼着させつつラベル用テープ４２を送り出す。
【００３８】
以上のように構成されたテープ作成装置１により、ラベル用テープ４２を作成する手順を説明する。
先ず、テープ作成装置１に前記テープカセット１６を装着した状態で、電源スイッチ６が押されるとテープ作成装置１がオン状態になる。このとき、図２に示すように、このテープカセット１６の底壁部には、複数のテープ種判別用穴８１が形成されており、このテープ種判別用穴８１の有無の組合せによってテープカセット１６の種類が決まり、この情報が本体２に取り付けられているテープ判別センサ（プッシュスイッチ）１４で読み取られる。そして、その情報が、ＲＯＭ８７のプログラムによりＣＰＵ８６が動作してＲＡＭ８９のテープ判別データ記憶エリア８９Ａに記憶されている図示しないテープ判別データテーブルと比較され、それぞれのテープカセット１６の種類が、ディスプレイコントローラ（ＬＣＤＣ）９２の駆動によりＬＣＤ１２に表示される。その表示の例を図５に示す。図５（Ａ）は、上側にある橙色の示温材料８０が５℃以下では透明になり、下地の両面テープ２４の青色が発現することを示している。図５（Ｂ）は、下地の両面テープ２４の青色が２５℃以上では上側にある赤色の示温材料８０によって隠蔽されることを示している。図５（Ｃ）は、下地の両面テープ２４ａの白色が３８℃以下では上側にある青色の示温材料８０に隠蔽され、４５℃以上では下側にある赤色の示温材料８０ａによって隠蔽されることを示している。（第３実施形態参照）この情報によって操作者は、テープカセット１６の種類を知ることができ、作成されると外見では分からないラベル用テープ４２の素性が分かり、テープ作成の失敗がなくなる。
この表示内容が所望のものでなければ、テープ作成装置１の電源をオフ状態にしてからテープカセット１６を交換して上記操作を繰り返す。所望のテープカセット１６であれば、キーボード４や機能キー群１０を操作して所望の文字や記号等を入力し、印刷キー８を押す。
【００３９】
すると、テープ作成装置１は、制御部８５によって、印字用テープ２０及びインクリボン２７を所定の速度で送りながら、入力された文字や記号等のデータに基づいてサーマルヘッド４８を通電制御して発熱素子４９を発熱させる。このことにより、印字用テープ２０に入力された文字や記号等のキャラクタ８２が反転された状態で印刷され、その印刷面に両面テープ２４が接着され、ラベル用テープ４２として排出される。排出されたラベル用テープ４２は、操作者が切断レバー６４を図２の矢印方向（反時計方向）に揺動させて回転カッタ６６を矢印方向（時計方向）に回転させることで切断される。
【００４０】
上記ラベル用テープ４２は剥離紙７９が剥された状態で、所望の場所に張り付けられる。このラベル用テープ４２は、透明ポリエステルフィルム２５の上面に示温材料８０が塗布されているので、張り付けたもの自体の温度または張り付けた場所の周囲の温度により示温材料８０が変色する。この変色が印字用テープ２０の裏面に印刷されている文字や記号等のキャラクタ８２を発現させたり、隠蔽させたりする。このラベル用テープ４２により本発明の示温テープが構成される。
【００４１】
例えば、常温時に有色、低温時に透明に変化する示温材料８０が塗布された印字用テープ２０に「飲みごろです」と印刷したラベル用テープ４２を作成し、ビールの缶に張り付け、この缶を冷蔵庫等で冷やす。すると、常温時には印字用テープ２０に塗布された示温材料８０によって隠蔽されて見えなかった印刷文字が、低温になると示温材料８０が透明になり「飲みごろです」の文字が発現して缶の冷え具合が容易に確認できる。この時、印字用テープ２０に印刷される文字や記号等のキャラクタ８２の印刷色と両面テープ２４の色目は、文字が判読できれば何色でもよい。また、常温時の示温材料８０の色についても印字用テープ２０に印刷される文字や記号等のキャラクタ８２が隠蔽される程度の色目であれば何色でもよい。
【００４２】
以上、詳細に説明した通り、第１実施形態に係るテープ作成装置１では、ラベル用テープ４２は、印字用テープ２０及び両面テープ２４とからなり、印字用テープ２０の表面には、周囲温度に応じて変色する示温材料８０が塗布されていることにより、示温材料８０の色が、印字用テープ２０の裏面に印字されている文字や記号等のキャラクタ８２と両面テープ２４の色を隠蔽するので文字や記号等のキャラクタ８２の色と両面テープ２４の色を自由に選択して組み合わせることができるという効果がある。また、示温材料８０の色も文字や記号等のキャラクタ８２の色に関係なく自由に選択することができるという効果もある。
【００４３】
また、印字用テープ２０の表面に塗布されている示温材料８０は、周囲温度に応じて有色から無色に変色するようにしたので、有色から無色に変色した時は、変色する温度になったことが示されるので、その変色の状態におけるメッセージを印字用テープ２０の裏面に印字された文字や記号等のキャラクタ８２（注意や状況等）で発現することによって見る人の注意を引くことができるという効果がある。
【００４４】
更に、印字用テープ２０の表面に塗布されている示温材料８０は、周囲温度に応じて無色から有色に変色するようにしたので、無色から有色に変色した時は、変色する温度になったことを示し、今まで印字用テープ２０の裏面に印字された文字や記号等のキャラクタ８２で発現されていた状況でなくなったということで隠蔽することができ見る人に安心感を与えられるという効果がある。
【００４５】
そして、示温材料８０の種類を判別するテープ判別センサ１４と、テープ判別センサ１４によって判別された示温材料８０の内容を表示するＬＣＤ１２とを備えたので、この表示によって操作者は、これから作成される外見では分からないラベル用テープ４２の素性が分かり、テープ作成の失敗がなくなるという効果がある。
【００４６】
次に、本発明に係る第２実施形態を図面と共に説明する。第２実施形態に係るテープ作成装置１では、テープ作成装置１で作成される別のラベル用テープ４２ａについて図６に基づいて説明する。図６は、第２実施形態で本発明が適用されたラベル用テープの構成を示す側面図である。ここで、第２実施形態で説明に使用されている符号は、第１実施形態と同一機能のものは同じ符号を使用しその機能の説明は省略している。
【００４７】
作成されたラベル用テープ４２ａは、図６に示すように印字用テープ２０と両面テープ２４ａとで構成されている。そして、印字用テープ２０は、図６に示すように透明ポリエステルフィルム２５の上面に示温材料８０が塗布された構成になっている。ここで、示温材料８０は、ある温度で無色から有色に、或いは、有色から無色に変化する。
【００４８】
また、両面テープ２４ａは、図６に詳細に示すように５層構造になっている。即ち、上面から透明粘着材層７１、ポリエステルフィルム７３、印刷層７５、粘着材層７７、両面剥離紙７９から構成されている。そして、印刷層７５のポリエステルフィルム７３側の面には、着色剤と示温材料８０ａが塗布されている。上記印字用テープ２０及び両面テープ２４ａにより、本発明の印刷媒体が構成される。また、ラベル用テープ４２ａが作成される前は、上記印字用テープ２０及び両面テープ２４ａは、インクリボン２７等の他の部材と共にテープカセット１６を形成している。
【００４９】
そして、ラベル用テープ４２ａを作成するには、テープ作成装置１に前記テープカセット１６を装着した状態で、電源スイッチ６を押し、ＬＣＤ１２で所望のテープカセット１６であることを確認してから、キーボード４や機能キー群１０を操作して所望の文字や記号等を入力し、印刷キー８を押す。
【００５０】
すると、テープ作成装置１は、制御部８５によって、印字用テープ２０及びインクリボン２７を所定の速度で送りながら、入力された文字や記号等のデータに基づいてサーマルヘッド４８を通電制御して発熱素子４９を発熱させる。このことにより、印字用テープ２０に入力された文字や記号等のキャラクタ８２が反転された状態で印刷され、その印刷面に両面テープ２４ａが接着され、ラベル用テープ４２ａとして排出される。排出されたラベル用テープ４２ａは、操作者が切断レバー６４を図２の矢印方向（反時計方向）に揺動させて回転カッタ６６を矢印方向（時計方向）に回転させることで切断される。
【００５１】
上述したように上記ラベル用テープ４２ａは、印字用テープ２０及び両面テープ２４ａとからなり、印字用テープ２０の表面には周囲温度に応じて変色する示温材料８０が塗布され、両面テープ２４ａには周囲温度に応じて変色する示温材料８０ａを含む層を備えているので、印字用テープ２０の表面の示温材料８０は、印字用テープ２０の裏面に印字された文字や記号等のキャラクタ８２の出現や隠蔽の機能をし、両面テープ２４ａの示温材料８０ａは、示温材料８０ａの色やそのバックの色により印字用テープ２０の裏面に印字された文字や記号等のキャラクタ８２の出現や同化の機能をする。更に、印字用テープ２０の表面の示温材料８０は、示温材料８０の色を選ぶ事によりラベル用テープ４２ａの装飾となり、同様に両面テープ２４ａの示温材料８０ａは、示温材料８０ａの色や変色の色そして示温材料８０ａのバックの色により印字用テープ２０の裏面に印字された文字や記号等のキャラクタ８２を引き立たせる装飾の機能をする。このラベル用テープ４２ａにより本発明の示温テープが構成される。
【００５２】
以上、詳細に説明した通り、第２実施形態に係るテープ作成装置１では、ラベル用テープ４２ａは、印字用テープ２０及び両面テープ２４ａとからなり、印字用テープ２０の表面には周囲温度に応じて変色する示温材料８０が塗布され、両面テープ２４ａには周囲温度に応じて変色する示温材料８０ａを含む層を備えているので、印字用テープ２０の表面の示温材料８０は、印字用テープ２０の裏面に印字された文字や記号等のキャラクタ８２
の出現や隠蔽の機能をし、両面テープ２４ａの示温材料８０ａは、示温材料８０ａの色やそのバックの色により印字用テープ２０の裏面に印字された文字や記号等のキャラクタ８２の出現や同化の機能をする。更に、印字用テープ２０の表面の示温材料８０は、示温材料８０の色を選ぶ事によりラベル用テープ４２ａの装飾となり、同様に両面テープ２４ａの示温材料８０ａは、示温材料８０ａの色や変色の色そして示温材料８０ａのバックの色により印字用テープ２０の裏面に印字された文字や記号等のキャラクタ８２を引き立たせる装飾の機能をする。このような機能を組み合わせることにより目的に合わせた多彩なラベル用テープ４２ａを作成できるという効果がある。
【００５３】
次に、本発明に係る第３実施形態について図６を参照して説明する。第３実施形態に係るテープ作成装置１では、テープ作成装置１で作成されるラベル用テープ４２ａで、示温材料８０と示温材料８０ａの変化する温度が異なるラベル用テープ４２ａについて説明する。ところで、ラベル用テープ４２ａの構成と作成工程は、第２実施形態と同一であり詳細に説明しているので省略し、ここでは、ラベル用テープ４２ａの機能について説明する。
【００５４】
上記ラベル用テープ４２ａは剥離紙７９が剥された状態で、所望の場所に張り付けられる。このラベル用テープ４２ａは、印字用テープ２０側の透明ポリエステルフィルム２５の上面に示温材料８０が塗布され、両面テープ２４ａ側の印刷層７５のポリエステルフィルム７３側の面に示温材料８０ａが塗布されているので、張り付けたもの自体の温度または張り付けた場所の周囲の温度変化に対して先に図示温材料８０が変色し、更なる温度変化に対して示温材料８０ａが変色する。この変色が印字用テープ２０の裏面に印刷されている文字や記号等のキャラクタ８２を発現させたり、隠蔽させたりする。このラベル用テープ４２ａにより本発明の示温テープが構成される。
【００５５】
例えば、お風呂の適温表示ラベルとして使用する場合は、印字用テープ２０側の示温材料８０を常温で青色、３８℃以上で無色になるように設定し、両面テープ２４ａ側の示温材料８０ａを常温で白色、４５℃以上で赤色になるように設定する。そして、印字用テープ２０には、赤色で「適温です」と印刷しておく。このラベル用テープ４２ａを所望の場所に張り付けることによって、常温から３８℃までは青色で「適温です」が隠蔽され、３８℃から４５℃までは白色の下地に赤色文字の「適温です」が発現し、４５℃以上では下地が赤色になり赤色文字の「適温です」が同化して見えなくなりお風呂の適温具合が容易に確認できる。
【００５６】
以上、詳細に説明した通り、第３実施形態に係るテープ作成装置１では、印字用テープ２０の表面に塗布された示温材料８０の変色する温度と、両面テープ２４ａの層に含まれた示温材料８０ａの変色する温度が異なるようにしたので、ある温度からある温度までの範囲を判別可能なラベル用テープ４２ａを作成できるという効果がある。また、周囲温度を３分割で示すことができるという効果もある。
【００５７】
尚、本発明は前記第１実施形態乃至第４実施形態に限定されることはなく、本発明の要旨を逸脱しない範囲内で種々の改良、変形が可能であることは勿論である。
【００５８】
例えば、前記第１実施形態乃至第４実施形態では、印字用テープ２０の上面に示温材料８０を塗布していたが、図７に示すように印字用テープ２０の下面に塗布してもよい。
【図面の簡単な説明】
【００５９】
【図１】第１実施形態で本発明が適用されたテープ作成装置の外観を示す斜視図である。
【図２】第１実施形態で本発明が適用されたテープカセットをテープ作成装置に取り付けた状態を示す図である。
【図３】第１実施形態に係るテープ作成装置の制御構成を示すブロック図である。
【図４】第１実施形態で本発明が適用されたラベル用テープの構成を示す側面図である。
【図５】第１実施形態で本発明が適用された液晶ディスプレイに表示された示温テープの種類を表す表示例を示す図である。
【図６】第２実施形態で本発明が適用されたラベル用テープの構成を示す側面図である。
【図７】別のラベル用テープの構成を示す側面図である。
【符号の説明】
【００６０】
１．テープ作成装置
１２．液晶ディスプレイ
１４．テープ判別センサ
２０．印字用テープ
２４．両面テープ
２４ａ．両面テープ
４２．ラベル用テープ
４２ａ．ラベル用テープ
４８．サーマルヘッド
８０．示温材料
８０ａ．示温材料
【図１】
2006162932.tif 000003
【図２】
2006162932.tif 000004
【図３】
2006162932.tif 000005
【図４】
2006162932.tif 000006
【図５】
2006162932.tif 000007
【図６】
2006162932.tif 000008
【図７】
2006162932.tif 000009